(57)【要約】  ユーザの生活環境に応じたアドバイスをユーザに提供する。情報処理装置は、ユーザの生活環境に関する生活環境情報を取得する手段を備え、取得された生活環境情報に基づいて、肌レベルを判定する手段を備え、肌レベルに関連付けられた複数のアドバイス情報の中から、判定された肌レベルに関連付けられたアドバイス情報を選択する手段を備え、各アドバイス情報は、ユーザの肌のケアに関するアドバイスを含む情報であり、選択されたアドバイス情報を提示する手段を備える。
2018216678.tif 000002
【特許請求の範囲】
【請求項１】
ユーザの生活環境に関する生活環境情報を取得する手段を備え、
前記取得された生活環境情報に基づいて、肌レベルを判定する手段を備え、
肌レベルに関連付けられた複数のアドバイス情報の中から、前記判定された肌レベルに関連付けられたアドバイス情報を選択する手段を備え、
各アドバイス情報は、前記ユーザの肌のケアに関するアドバイスを含む情報であり、
前記選択されたアドバイス情報を提示する手段を備える、
情報処理装置。
【請求項２】
前記選択する手段は、同一のアドバイス情報が連続して提示されないように、前記アドバイス情報を選択する、
請求項１に記載の情報処理装置。
【請求項３】
前記選択する手段は、前記複数のアドバイス情報のそれぞれに割り当てられた順番を示すルールに従って、前記アドバイス情報を選択する、
請求項１又は２に記載の情報処理装置。
【請求項４】
前記選択する手段は、さらに、時期に関連付けられた複数のアドバイス情報の中から、前記アドバイス情報を提示する時期に関連付けられたアドバイス情報を選択する、
請求項１〜３の何れかに記載の情報処理装置。
【請求項５】
前記選択する手段は、１つの時期に関連付けられた複数のアドバイス情報のそれぞれに割り当てられた順番を示すルールに従って、前記アドバイス情報を選択する、
請求項４に記載の情報処理装置。
【請求項６】
前記選択する手段は、さらに、年齢に関連付けられた複数のアドバイス情報の中から、前記ユーザの年齢に関連付けられたアドバイス情報を選択する、
請求項１〜５の何れかに記載の情報処理装置。
【請求項７】
前記生活環境情報は、気温に関する情報、湿度に関する情報、紫外線の強さを示す情報、及び、花粉の飛散量に関する情報の少なくとも１つを含む、
請求項１〜６の何れかに記載の情報処理装置。
【請求項８】
前記判定する手段は、前記紫外線の強さ及び前記湿度の組合せに基づいて、肌荒れのレベルを判定する、
請求項７に記載の情報処理装置。
【請求項９】
前記判定する手段は、前記気温及び前記湿度の組合せに基づいて、肌のべたつきのレベルを判定する、
請求項７又は８に記載の情報処理装置。
【請求項１０】
コンピュータを、請求項１〜９の何れかに記載の各手段として機能させるための、プログラム。
【請求項１１】
クライアント端末と、サーバと、を含む情報処理システムであって、
請求項１〜９の何れかに記載の各手段が、前記クライアント端末及び前記サーバの何れか一方に設けられた、
情報処理システム。
【発明の詳細な説明】
【技術分野】
【０００１】
本発明は、情報処理装置、プログラム、及び、情報処理システムに関する。
【背景技術】
【０００２】
一般に、最適な肌のケアは、ユーザの固有の事情によって異なる。従来、肌のケアに関するアドバイスを提供する技術が知られている。例えば、特許文献１は、ユーザが指定した悩みに応じたアドバイスを表示する技術を開示している。
【先行技術文献】
【特許文献】
【０００３】
【特許文献１】特開２００２−０５６２８１号公報
【発明の概要】
【発明が解決しようとする課題】
【０００４】
肌は、ユーザの生活環境から影響を受ける。つまり、ユーザの生活環境も考慮して肌のケアを考えることが好ましい。
しかし、特許文献１では、ユーザが指定した悩みに応じたアドバイスを提供するが、ユーザの生活環境は考慮していない。したがって、ユーザの生活環境に応じたアドバイスを提供することはできない。【０００５】
本発明の目的は、ユーザの生活環境に応じたアドバイスをユーザに提供することである。
【課題を解決するための手段】
【０００６】
本発明の一態様は、
ユーザの生活環境に関する生活環境情報を取得する手段を備え、
前記取得された生活環境情報に基づいて、肌レベルを判定する手段を備え、
肌レベルに関連付けられた複数のアドバイス情報の中から、前記判定された肌レベルに関連付けられたアドバイス情報を選択する手段を備え、
各アドバイス情報は、前記ユーザの肌のケアに関するアドバイスを含む情報であり、
前記選択されたアドバイス情報を提示する手段を備える、
情報処理装置である。
【発明の効果】
【０００７】
本発明によれば、ユーザの生活環境に応じたアドバイスをユーザに提供することができる。
【図面の簡単な説明】
【０００８】
【図１】本実施形態の情報処理システムの構成を示すブロック図。
【図２】本実施形態のアプリケーションの機能を示す図。
【図３】本実施形態のユーザ情報データベースのデータ構造を示す図。
【図４】本実施形態の生活環境情報データベースのデータ構造を示す図。
【図５】本実施形態のアドバイス情報データベースのデータ構造を示す図。
【図６】本実施形態の情報処理のフローチャート。
【図７】本実施形態の情報処理において表示される画面例を示す図。
【発明を実施するための形態】
【０００９】
以下、本発明の一実施形態について、図面に基づいて詳細に説明する。なお、実施形態を説明するための図面において、同一の構成要素には原則として同一の符号を付し、その繰り返しの説明は省略する。
【００１０】
（１）情報処理システムの構成
情報処理システムの構成について説明する。図１は、本実施形態の情報処理システムの構成を示すブロック図である。
【００１１】
図１に示すように、情報処理システム１は、クライアント端末１０と、サーバ３０と、外部データベース７０と、を備える。
クライアント端末１０及びサーバ３０は、ネットワーク（例えば、インターネット又はイントラネット）ＮＷを介して接続される。
【００１２】
クライアント端末１０は、サーバ３０にリクエストデータを送信する情報処理装置の一例である。クライアント端末１０は、例えば、スマートフォン、タブレット端末、又は、パーソナルコンピュータである。
【００１３】
サーバ３０は、クライアント端末１０から送信されたリクエストデータに応じたレスポンスデータをクライアント端末１０に提供する情報処理装置の一例である。サーバ３０は、例えば、ウェブサーバである。
【００１４】
外部データベース７０は、サーバ３０がアクセス可能なデータベースである。外部データベース７０には、場所毎に、ユーザの生活環境に関する情報（以下「生活環境情報」という）が格納される。生活環境情報は、例えば、気温を示す情報、湿度を示す情報、紫外線の強さの指数（以下「紫外線指数」という）、及び、花粉の飛散量を示す情報である。
【００１５】
（１−１）クライアント端末の構成
図１を参照して、クライアント端末１０の構成について説明する。
【００１６】
図１に示すように、クライアント端末１０は、記憶装置１１と、ＣＰＵ（Central Processing Unit）１２と、入出力インタフェース１３と、通信インタフェース１４と、を備える。
【００１７】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
プログラムは、例えば、ＯＳ（Operating System）のプログラム、情報処理を実行するアプリケーションのプログラムである。アプリケーションは、スキンケアアプリケーション１２０（図２）を含む。
データは、例えば、以下のデータを含む。
・情報処理において参照されるデータ
・情報処理を実行することによって得られるデータ（つまり、情報処理の実行結果）
【００１８】
ＣＰＵ１２は、記憶装置１１に記憶されたプログラムを起動することによって、クライアント端末１０の機能を実現するように構成される。
【００１９】
入出力インタフェース１３は、クライアント端末１０に接続される入力デバイスからユーザの指示を受け付け、かつ、クライアント端末１０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００２０】
通信インタフェース１４は、クライアント端末１０とサーバ３０との間の通信を制御するように構成される。
【００２１】
（１−２）サーバの構成
図１を参照して、サーバ３０の構成について説明する。
【００２２】
図１に示すように、サーバ３０は、記憶装置３１と、ＣＰＵ３２と、通信インタフェース３４とを備える。
【００２３】
記憶装置３１は、プログラム及びデータを記憶するように構成される。記憶装置３１は、例えば、ＲＯＭ、ＲＡＭ、及び、ストレージ（例えば、フラッシュメモリ又はハードディスク）の組合せである。
プログラムは、例えば、ＯＳのプログラム、情報処理を実行するアプリケーションのプログラム等である。
データは、例えば、以下のデータを含む。
・情報処理において参照されるデータベース
・情報処理を実行することによって得られるデータ（つまり、情報処理の実行結果）
【００２４】
ＣＰＵ３２は、記憶装置３１に記憶されたプログラムを起動することによって、サーバ３０の機能を実現するように構成される。
【００２５】
入出力インタフェース３３は、サーバ３０に接続される入力デバイスからユーザの指示を受け付け、かつ、サーバ３０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００２６】
通信インタフェース３４は、サーバ３０と、クライアント端末１０及び外部データベース７０との間の通信を制御するように構成される。
【００２７】
（１−３）アプリケーションの機能
本実施形態のアプリケーションの機能について説明する。図２は、本実施形態のアプリケーションの機能を示す図である。
【００２８】
図１のＣＰＵ１２は、記憶装置１１に記憶されたプログラムを実行することにより、スキンケアアプリケーション１２０の機能を実現する。
【００２９】
図２に示すように、スキンケアアプリケーション１２０は、生活環境情報をサーバ３０に送信する。
サーバ３０は、スキンケアアプリケーション１２０から送信された情報に応じたアドバイス情報をスキンケアアプリケーション１２０に送信する。
スキンケアアプリケーション１２０は、サーバ３０から送信されたアドバイス情報をディスプレイに表示する。
【００３０】
（２）データベース
本実施形態のデータベースについて説明する。以下のデータベースは、記憶装置３１に記憶されている。
【００３１】
（２−１）ユーザ情報データベース
本実施形態のユーザ情報データベースについて説明する。図３は、本実施形態のユーザ情報データベースのデータ構造を示す図である。
【００３２】
ユーザ情報データベースには、ユーザに関する情報（以下「ユーザ情報」という）が格納される。
図３に示すように、ユーザ情報データベースは、「ユーザＩＤ」フィールドと、「ユーザ名」フィールドと、「年齢」フィールドと、「性別」フィールドと、「ロケーション」フィールドと、を含む。各フィールドは、互いに関連付けられている。
【００３３】
「ユーザＩＤ」フィールドには、ユーザＩＤが格納される。ユーザＩＤは、ユーザを識別する情報である。「ユーザＩＤ」フィールドの情報は、サーバ３０によって決められる。
【００３４】
「ユーザ名」フィールドには、ユーザ名に関する情報（例えば、テキスト）が格納される。「ユーザ名」フィールドの情報は、ユーザによって決められる。
【００３５】
「年齢」フィールドには、ユーザの年齢を示す情報が格納される。「年齢」フィールドの情報は、ユーザによって決められる。
【００３６】
「性別」フィールドには、ユーザの性別を示す情報が格納される。「性別」フィールドの情報は、ユーザによって決められる。
【００３７】
「ロケーション」フィールドには、ユーザの位置情報が格納される。「ロケーション」フィールドの情報は、ユーザによって決められた情報、又は、クライアント端末１０から取得した情報（例えば、ＧＰＳ（Global Positioning System）情報）である。
【００３８】
（２−２）生活環境情報データベース
本実施形態の生活環境情報データベースについて説明する。図４は、本実施形態の生活環境情報データベースのデータ構造を示す図である。
【００３９】
生活環境情報データベースには、生活環境情報が格納される。
図４に示すように、生活環境情報データベースは、ユーザＩＤに関連付けられている。
生活環境情報データベースは、「日付」フィールドと、「生活環境情報」フィールドと、「肌レベル」フィールドと、を含む。各フィールドは、互いに関連付けられている。
【００４０】
「日付」フィールドには、生活環境情報に対応する日付を示す情報が格納される。
【００４１】
「生活環境情報」フィールドは、「気温」フィールドと、「湿度」フィールドと、「紫外線」フィールドと、「花粉」フィールドと、を含む。
「気温」フィールドには、ユーザの生活環境の気温を示す情報が格納される。
「湿度」フィールドには、ユーザの生活環境の湿度を示す情報が格納される。
「紫外線」フィールドには、ユーザの生活環境の紫外線指数を示す情報が格納される。
「花粉」フィールドには、ユーザの生活環境の花粉の飛散量を示す情報が格納される。
【００４２】
「肌レベル」フィールドは、「肌荒れ」フィールドと、「べたつき」フィールドと、「肌冷え」フィールドと、「紫外線」フィールドと、「花粉」フィールドと、を含む。
「肌荒れ」フィールドには、肌荒れに起因する肌のダメージレベルの判定結果を示す情報が格納される。
「べたつき」フィールドには、肌のべたつきに起因する肌のダメージレベルの判定結果を示す情報が格納される。
「肌冷え」フィールドには、肌冷えに起因する肌のダメージレベルの判定結果を示す情報が格納される。
「紫外線」フィールドには、紫外線に起因する肌のダメージレベルの判定結果を示す情報が格納される。
「花粉」フィールドには、花粉に起因する肌のダメージレベルの判定結果を示す情報が格納される。
各フィールドの肌レベルが高いほど、肌に与えられるダメージが大きいことを意味する。
【００４３】
図４は、２０１７年１月１日に関して、気温がＴ１であり、湿度がＨ１であり、紫外線指数がＵＶ１であり、花粉の飛散量がＰ１であり、肌荒れに関する肌レベルがＬｖ１であり、べたつきに関する肌レベルがＬｖ２であり、肌冷えに関する肌レベルがＬｖ１であり、紫外線に関する肌レベルがＬｖ１であり、花粉に関する肌レベルがＬｖ１であることを示している。
【００４４】
（２−３）アドバイス情報データベース
本実施形態のアドバイス情報データベースについて説明する。図５は、本実施形態のアドバイス情報データベースのデータ構造を示す図である。
【００４５】
アドバイス情報データベースには、アドバイス情報が格納される。
図５に示すように、アドバイス情報データベースは、ユーザＩＤに関連付けられている。
アドバイス情報データベースは、「時期」フィールドと、「肌レベル」フィールドと、「ルール」フィールドと、を含む。各フィールドは、互いに関連付けられている。
【００４６】
「時期」フィールドには、アドバイス情報を提供する時期に関する情報が格納される。
【００４７】
「肌レベル」フィールドには、肌レベルの各カテゴリ（「肌荒れ」、「べたつき」、「肌冷え」、「紫外線」、及び、「花粉」）の肌レベルを示す情報が格納される。
【００４８】
「ルール」フィールドは、「順番１」フィールド〜「順番３」フィールドを含む。
「順番１」フィールド〜「順番３」フィールドには、それぞれ、アドバイス情報を識別するアドバイスＩＤと、フラグと、が格納される。
アドバイス情報は、例えば、肌状態の解説に関する情報、及び、スキンケアの提案に関する情報の少なくとも１つを含む。
フラグは、アドバイス情報が提示済であるか否かを示す情報である。フラグ「Ｆ０」は、アドバイス情報が未提示であることを示している。フラグ「Ｆ１」は、アドバイス情報が提示済であることを示している。
つまり、アドバイス情報には、肌レベル毎に、提示する順番が割り当てられている。フラグによって、次に提示すべきアドバイス情報が特定される。
【００４９】
図５は、以下の例を示している。
・時期「１月〜２月」における「肌荒れ」の肌レベル「Ｌｖ１」に対応するアドバイス情報について、アドバイスＩＤ「Ａｄａ１１」によって識別されるアドバイス情報、「Ａｄａ１２」によって識別されるアドバイス情報、「Ａｄａ１３」によって識別されるアドバイス情報の順に提示する。
・時期「１月〜２月」における「肌荒れ」の肌レベル「Ｌｖ２」に対応するアドバイス情報について、アドバイスＩＤ「Ａｄｂ１１」及び「Ａｄｂ１２」によって識別されるアドバイス情報が提示済であり、かつ、アドバイスＩＤ「Ａｄｂ１３」によって識別されるアドバイス情報が未提示である（次に、提示すべきアドバイス情報は、アドバイスＩＤ「Ａｄｂ１３」によって識別されるアドバイス情報である）。
【００５０】
（３）情報処理のフロー
本実施形態の情報処理のフローについて説明する。図６は、本実施形態の情報処理のフローチャートである。図７は、本実施形態の情報処理において表示される画面例を示す図である。
【００５１】
本実施形態の情報処理は、クライアント端末１０及びサーバ３０によって実行される。クライアント端末１０の処理の各ステップは、スキンケアアプリケーション１２０の機能である。
【００５２】
図６に示すように、クライアント端末１０は、アドバイスリクエスト（Ｓ１００）を実行する。
具体的には、ユーザがクライアント端末１０に対して所定の操作（例えば、スキンケアアプリケーション１２０の起動の指示）を行うと、ＣＰＵ１２は、アドバイスリクエストデータをサーバ３０に送信する。アドバイスリクエストデータは、ユーザＩＤを含む。
【００５３】
ステップＳ１００の後、サーバ３０は、生活環境情報の取得（Ｓ３００）を実行する。
具体的には、ＣＰＵ３２は、ユーザ情報データベース（図３）において、アドバイスリクエストデータに含まれるユーザＩＤに関連付けられた「ロケーション」フィールドの情報を特定する。
次に、ＣＰＵ３２は、外部データベース７０から、特定した「ロケーション」フィールドの情報に対応する生活環境情報（例えば、温度を示す情報、湿度を示す情報、紫外線指数、及び、花粉の飛散量を示す情報）を取得する。
【００５４】
ステップＳ３００の後、サーバ３０は、肌レベルの判定（Ｓ３０１）を実行する。
具体的には、ＣＰＵ３２は、ユーザ情報データベース（図３）において、アドバイスリクエストデータに含まれるユーザＩＤに関連付けられた「年齢」フィールドの情報を特定する。
次に、ＣＰＵ３２は、アドバイスリクエストデータに含まれる湿度を示す情報と、ステップＳ３００で取得した紫外線指数と、に基づいて、肌荒れの肌レベルを判定する。
次に、ＣＰＵ３２は、アドバイスリクエストデータに含まれる生活環境情報（つまり、気温を示す情報及び湿度を示す情報）に基づいて、べたつきの肌レベルを判定する。
次に、ＣＰＵ３２は、アドバイスリクエストデータに含まれる気温を示す情報に基づいて、肌冷えの肌レベルを判定する。
次に、ＣＰＵ３２は、ステップＳ３００で取得した紫外線指数に基づいて、紫外線の肌レベルを判定する。
次に、ＣＰＵ３２は、ステップＳ３００で取得した花粉の飛散量を示す情報に基づいて、花粉の肌レベルを判定する。
【００５５】
ステップＳ３０１の後、サーバ３０は、アドバイス情報の選択（Ｓ３０２）を実行する。
具体的には、ＣＰＵ３２は、ステップＳ３０１で判定した肌レベルが最も高いカテゴリを、アドバイス情報を提示すべきカテゴリとして特定する。一例として、ＣＰＵ３２は、「肌荒れ」の肌レベルが最も高い場合、カテゴリ「肌荒れ」を特定する。
次に、ＣＰＵ３２は、アドバイス情報データベース（図５）において、特定したカテゴリの「順番１」フィールド〜「順番３」フィールドの順に、フラグ「Ｆ０」に対応するアドバイスＩＤ（つまり、次に提示すべきアドバイス情報）を、提示すべきアドバイス情報を識別するアドバイスＩＤとして特定する。一例として、ＣＰＵ３２は、図５の時期「１月〜２月」における「肌荒れ」の肌レベル「Ｌｖ３」に対応するアドバイス情報について、「順番２」フィールドのアドバイスＩＤ「Ａｄｃ１２」を特定する。
【００５６】
ステップＳ３０２の後、サーバ３０は、データベースの更新（Ｓ３０３）を実行する。
具体的には、ＣＰＵ３２は、生活環境情報データベース（図４）において、情報処理の実行日を示す情報を「日付」フィールドに格納し、ステップＳ３０１で参照した生活環境情報（気温を示す情報、湿度を示す情報、紫外線指数、及び、花粉の飛散量を示す情報）を「生活環境情報」フィールドに格納し、ステップＳ３０１で判定した肌レベル（肌荒れの肌レベル、べたつきの肌レベル、肌冷えの肌レベル、紫外線の肌レベル、及び、花粉の肌レベル）を「肌レベル」フィールドに格納する。
次に、ＣＰＵ３２は、アドバイス情報データベース（図５）において、ステップＳ３０２で特定したアドバイスＩＤに対応する「フラグ」フィールドに、フラグ「Ｆ１」を格納する。
【００５７】
ステップＳ３０３の後、サーバ３０は、アドバイスレスポンス（Ｓ３０４）を実行する。
具体的には、ＣＰＵ３２は、アドバイスレスポンスをクライアント端末１０に送信する。アドバイスレスポンスデータは、ステップＳ３０１で判定した肌レベルを示す情報と、ステップＳ３０２で特定したアドバイスＩＤによって識別されるアドバイス情報と、を含む。
【００５８】
ステップＳ３０４の後、クライアント端末１０は、アドバイス情報の提示（Ｓ１０１）を実行する。
具体的には、ＣＰＵ１２は、画面Ｐ１００（図７）をディスプレイに表示する。
【００５９】
図７に示すように、画面Ｐ１００は、領域Ａ１００ａ〜Ａ１００ｃを含む。
領域Ａ１００ａには、情報処理の実行日が表示される。
領域Ａ１００ｂには、アドバイスレスポンスデータに含まれる肌レベルを示す情報がカテゴリ毎に表示される。
領域Ａ１００ｃには、アドバイスレスポンスデータに含まれるアドバイス情報が表示される。
【００６０】
画面Ｐ１００は、２０１７年１月３日に、肌荒れの肌レベル「ＬＶ３」に応じたアドバイス情報（アドバイスＩＤ「Ａｄｃ１２」）を提示する例を示している。
【００６１】
画面Ｐ１０１は、２０１７年１月４日に、べたつきの肌レベル「ＬＶ４」に応じたアドバイス情報（アドバイスＩＤ「Ａｄｂ１１」）を提示する例を示している。
【００６２】
画面Ｐ１０２は、２０１７年１月５日に、肌荒れの肌レベル「ＬＶ４」に応じたアドバイス情報（アドバイスＩＤ「Ａｄｃ１２」）を提示する例を示している。
【００６３】
（４）変形例
本実施形態の変形例について説明する。
【００６４】
（４−１）変形例１
本実施形態の変形例１について説明する。変形例１は、各ユーザの肌レベルの統計情報を提示する例である。
【００６５】
変形例１のＣＰＵ３２は、ユーザ情報データベース（図３）のユーザ情報（例えば、「年齢」フィールド、「性別」フィールド、及び、「ロケーション」フィールドの情報）毎に、生活環境情報データベース（図４）の「肌レベル」フィールドの情報の統計情報を作成する。例えば、統計情報は、各ユーザの肌レベルのランキングを示す情報、各ユーザの肌レベルの平均値、及び、各ユーザの肌レベルの最大値及び最小値の少なくとも１つを含む。
次に、ＣＰＵ３２は、作成した統計情報をクライアント端末１０に送信する。
次に、ＣＰＵ１２は、サーバ３０から送信された統計情報を含む画面をディスプレイに表示する。
【００６６】
変形例１によれば、ユーザは、自分の肌レベルと他のユーザの肌レベルとを容易に比較することができる。
【００６７】
（４−２）変形例２
本実施形態の変形例２について説明する。変形例２は、外部データベース７０以外の装置から生活環境情報を取得する例である。
【００６８】
変形例２の通信インタフェース１４は、ウェアラブルデバイスに接続される。ウェアラブルデバイスは、ユーザの生活環境情報を取得するように構成される。
【００６９】
一例として、ウェラブルデバイスが全ての生活環境情報を取得する場合、変形例２のＣＰＵ１２は、図６のステップＳ１００の前に、ウェラブルデバイスから生活環境情報を取得する。この場合、アドバイスリクエストデータは、ステップＳ１００で取得した情報に加えて、生活環境情報も含む。
ＣＰＵ３２は、ステップＳ３００を省略して、ステップＳ３０１を実行する。
【００７０】
別の例として、ウェラブルデバイスが一部の生活環境情報（例えば、気温を示す情報、及び、湿度を示す情報）を取得する場合、変形例２のＣＰＵ１２は、図６のステップＳ１００の前に、ウェラブルデバイスから一部の生活環境情報を取得する。この場合、アドバイスリクエストデータは、ステップＳ１００で取得した情報に加えて、一部の生活環境情報も含む。
ＣＰＵ３２は、ステップＳ３００において、残りの生活環境情報（例えば、紫外線指数、及び、花粉の飛散量を示す情報）を取得する。
【００７１】
変形例２によれば、ユーザの生活環境により適合したアドバイス情報を提供することができる。
【００７２】
（４−３）変形例３
本実施形態の変形例３について説明する。変形例３は、複数のアドバイス情報を提示する例である。
【００７３】
変形例３のＣＰＵ３２は、図６のアドバイス情報の選択（Ｓ３０２）において、ステップＳ３０１で判定した肌レベルが所定の閾値以上であるカテゴリを、アドバイス情報を提示すべきカテゴリとして特定する。この閾値は、アドバイス情報の要否を判定するための肌レベルを示している。
次に、ＣＰＵ３２は、アドバイス情報データベース（図５）において、特定したカテゴリの「順番１」フィールド〜「順番３」フィールドの順に、フラグ「Ｆ０」に対応するアドバイスＩＤ（つまり、次に提示すべきアドバイス情報）を、提示すべきアドバイス情報を識別するアドバイスＩＤとして特定する。
【００７４】
変形例３によれば、ダメージレベルが一定以上であるカテゴリに関するアドバイス情報を提供することができる。
【００７５】
（５）本実施形態の小括
本実施形態について小括する。
【００７６】
本実施形態の情報処理装置（３０）は、
ユーザの生活環境に関する生活環境情報を取得する手段（Ｓ３００）を備え、
取得された生活環境情報に基づいて、肌レベルを判定する手段（Ｓ３０１）を備え、
肌レベルに関連付けられた複数のアドバイス情報の中から、判定された肌レベルに関連付けられたアドバイス情報を選択する手段（Ｓ３０２）を備え、
アドバイス情報は、ユーザの肌のケアに関するアドバイスを含む情報であり、
選択されたアドバイス情報を提示する手段（Ｓ３０４）を備える。
【００７７】
これにより、ユーザの生活環境に応じたアドバイスをユーザに提供することができる。
【００７８】
上記選択する手段（Ｓ３０２）は、同一のアドバイス情報が連続して提示されないように、前記アドバイス情報を選択しても良い。
また、上記選択する手段（Ｓ３０２）は、複数のアドバイス情報のそれぞれに割り当てられた順番を示すルールに従って、アドバイス情報を選択しても良い。
【００７９】
これにより、アドバイスを提供する度に、アドバイスの内容を変えることができる。
【００８０】
上記選択する手段（Ｓ３０２）は、さらに、時期に関連付けられた複数のアドバイス情報の中から、アドバイス情報を提示する時期に関連付けられたアドバイス情報を選択しても良い。
【００８１】
これにより、アドバイスを提供する時期に応じたアドバイスを提供することができる。
【００８２】
上記選択する手段（Ｓ３０２）は、１つの時期に関連付けられた複数のアドバイス情報のそれぞれに割り当てられた順番を示すルールに従って、アドバイス情報を選択しても良い。
【００８３】
これにより、ユーザに提供するアドバイスのバリエーションを広げることができる。
【００８４】
上記選択する手段は、さらに、年齢に関連付けられた複数のアドバイス情報の中から、ユーザの年齢に関連付けられたアドバイス情報を選択しても良い。
【００８５】
これにより、ユーザの年齢に応じたアドバイスを提供することができる。
【００８６】
上記生活環境情報は、気温に関する情報、湿度に関する情報、紫外線の強さを示す情報、及び、花粉の飛散量に関する情報の少なくとも１つを含んでも良い。
【００８７】
上記判定する手段（Ｓ３０１）は、紫外線の強さ及び湿度の組合せに基づいて、肌荒れのレベルを判定しても良い。
【００８８】
上記判定する手段（Ｓ３０１）は、気温及び湿度の組合せに基づいて、肌のべたつきのレベルを判定しても良い。
【００８９】
（６）その他の変形例
【００９０】
記憶装置１１は、ネットワークＮＷを介して、クライアント端末１０と接続されてもよい。記憶装置３１は、ネットワークＮＷを介して、サーバ３０と接続されてもよい。
【００９１】
情報処理の各ステップは、クライアント端末１０及びサーバ３０の何れか一方が実行可能である。クライアント端末１０が全てのステップを実行するか、又は、サーバ３０が全てのステップを実行してもよい。
【００９２】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【００９３】
１            ：順番
１            ：情報処理システム
３            ：順番
１０          ：クライアント端末
１１          ：記憶装置
１２          ：ＣＰＵ
１３          ：入出力インタフェース
１４          ：通信インタフェース
３０          ：サーバ
３１          ：記憶装置
３２          ：ＣＰＵ
３３          ：入出力インタフェース
３４          ：通信インタフェース
７０          ：外部データベース
１２０        ：スキンケアアプリケーション
【図１】
2018216678.tif 000003
【図２】
2018216678.tif 000004
【図３】
2018216678.tif 000005
【図４】
2018216678.tif 000006
【図５】
2018216678.tif 000007
【図６】
2018216678.tif 000008
【図７】
2018216678.tif 000009
【国際調査報告】
2018216678.tif 000010
2018216678.tif 000011
2018216678.tif 000012
2018216678.tif 000013